(57)【要約】【課題】振動を感知して自動的にロックを行うと共に、ロック及びロックの解除を手動で行うことも可能であり、且つ小型化が達成されたロック装置を提供する。【解決手段】引出し家具本体１１０に配設される第１のロック装置１０と、引出し１２０に配設される第２のロック装置５０を備えたロック装置１であり、第１のロック装置５０は、引出し１２０の引出し方向及び挿入方向の振動を感知して当該引出し方向及び挿入方向に移動する移動体１２と、移動体１２の移動に応じて移動体１２に係合または係合解除する係合部材１３と、移動体１２が係合部材１３と係合する移動方向に移動体１２を付勢する圧縮コイルバネ１４を備え、係合部材１３と移動体１２との係合が解除された際に、係合部材１３が第２のロック装置５０と当接して、引出し１２０が引き出されることを阻止する。【選択図】図４
2008057181.tif 000002
【特許請求の範囲】
【請求項１】
引出しが挿入される引出し挿入部を有する引出し家具本体に配設される第１のロック装置と、前記引出しに配設される第２のロック装置と、を備えてなるロック装置であって、
前記第１のロック装置は、
前記引出しの引出し方向及び挿入方向の振動を感知して当該引出し方向及び挿入方向に移動する移動体と、
前記移動体の移動に応じて、前記移動体に係合可能または当該係合を解除可能である係合部材と、
前記移動体が前記係合部材と係合するために移動する移動方向に当該移動体を付勢する付勢部材と、
を備え、
前記係合部材と移動体との係合が解除された際に、当該係合部材が前記第２のロック装置と当接して、前記引出しが引き出されることを阻止するロック装置。
【請求項２】
前記係合部材は、前記移動体が振動を感知していない際に、手動により、前記係合及び係合解除が可能である請求項１記載のロック装置。
【請求項３】
前記係合部材は、前記係合が解除された際に当該係合解除を維持可能である請求項１または請求項２記載のロック装置。
【請求項４】
前記係合部材は、前記係合が解除された際に前記移動体と当接し、当該移動体が前記係合を行う方向に移動することを阻止可能である請求項３記載のロック装置。
【請求項５】
前記移動体が前記係合を解除するために移動する移動方向に、前記係合部材を付勢する付勢部材をさらに配設してなる請求項１ないし請求項４のいずれか一項に記載のロック装置。
【請求項６】
前記係合部材は、前記移動体が前記引出し方向に移動した際に、前記移動体との係合を解除する請求項１ないし請求項５のいずれか一項に記載のロック装置。
【請求項７】
前記係合部材は、前記挿入方向の一端に、前記移動体と係合する係合部が形成されてなり、前記引出し方向の一端に、前記移動体との係合及び係合解除を手動で行う手動操作部が形成されてなる請求項２ないし請求項６のいずれか一項に記載のロック装置。
【請求項８】
前記第２のロック装置は、前記引出しの側壁の上面から上部に突出する突出部を備えてなり、前記第１のロック装置は、前記係合部材と移動体との係合が解除された際に、当該係合部材の前記挿入方向側端部が斜め下方に移動して、前記第２のロック装置の突出部に当接する請求項１ないし請求項７のいずれか一項に記載のロック装置。
【請求項９】
前記移動体に、前記挿入方向及び引出し方向に回転するローラを配設し、当該ローラの回転によって前記移動体を移動させる請求項１ないし請求項８のいずれか一項に記載のロック装置。
【請求項１０】
前記移動体に、前記係合部材と係合し且つ回転可能な係合ローラを配設し、前記係合部材に、前記係合ローラと係合する係合フックを配設してなり、前記係合状態から係合を解除する際、及び係合解除状態から係合を行う際に、当該係合フックが当該係合ローラの外周面を摺動する請求項１ないし請求項９のいずれか一項に記載のロック装置。
【発明の詳細な説明】
【技術分野】
【０００１】
本発明は、ロック装置にかかり、特に、引出しが挿入される引出し挿入部を有する引出し家具本体と、前記引出し挿入部に挿入される引出しを有する引出し家具に取付けられ、例えば、地震や搬送等による振動時に当該引出しを引出し家具本体に対し自動的にロックすると共に、子供が引出しを開けられないようにするチャイルドプルーフ機能を備えたロック装置に関する。
【背景技術】
【０００２】
従来から、例えば、タンス、収納庫、机等、引出しを有する引出し家具には、地震や搬送等の振動によって当該引出しが開いたり、抜け落ちたりすることを防止する目的で、ロック装置が設けられているものがある。
【０００３】
このようなロック装置としては、例えば、ケーシングと、地震や搬送時等に発生した揺れにより前記ケーシングから横向きに突出するロック部材と、を備えた引出し用耐震ロック装置が提案されている。この引出し用耐震ロック装置は、振動を感知する手段として、転動部材（球体）を使用しており、揺れによって引出しが移動しようとすると、転動部材が転がって（移動して）、この転動部材の両側に各々配置されている保持部材またはキックプレートに衝突し、前記ロック部材がロック位置になることで、引出しの飛び出しを防止する構成を備えている。（例えば、特許文献１参照）。
【０００４】
また、他の構成のロック装置として、振動時の固定部材に対する移動部材の移動を停止させる移動部材停止装置も紹介されている。この移動部材停止装置は、前記固定部材が、振動によって前記移動部材が移動する移動方向に沿って姿勢変化する感振体と、前記移動方向に対して傾斜し前記感振体が当接する傾斜面を有しこの感振体の当接によって前記移動方向に直交する方向に突出する係止体とを備え、前記移動部材が、前記係止体が係止する被係止部を備えた構成を有している。（例えば、特許文献２参照）。
【０００５】
そしてまた、振動時の固定部材に対する移動部材の移動を停止させる移動部材停止装置（ロック装置）として、前記固定部材が、振動によって前記移動部材が移動する移動方向に沿って転動する転動体と、前記移動方向に対して傾斜し前記転動体が当接する傾斜面を有しこの転動体の当接によって前記移動方向に直交する方向に突出する係止体とを備え、前記移動部材が、前記係止体を係止させる被係止部を備えたものも開示されている。（例えば、特許文献３参照）。
【特許文献１】特開２００３−２４１５６号公報
【特許文献２】特開２００６−２８７８０号公報
【特許文献３】特開２００６−２８７８０号公報
【発明の開示】
【発明が解決しようとする課題】
【０００６】
前述した特許文献１に記載されたロック装置は、転動部材が外箱体の揺れに伴って転がる（移動する）ことで、保持部材またはキックプレートに衝突し、この衝突エネルギーによって、ロック部材がロック位置となることで、引出しの飛び出しを防止している。このため、前記転動部材は、前記ロック部材をロック位置にするために必要な衝突エネルギーを当該ロック部材に付与するために、ある程度の重量が必要となる。したがって、ある程度大きな容積（サイズ）の転動部材が使用されることになり、これを収容するためのスペース及び転がすためのスペースをロック装置内に確保する必要があることから、ロック装置を小型化することが困難であった。
【０００７】
また、特許文献２に記載されたロック装置は、感振体の姿勢変化によって、ラッチ体の係合面がラッチ受け具の係止縁部に係止して引出しを家具本体内に固定しているが、前記感振体とラッチ体とが、引出しの幅方向（引出し方向と直交する方向）に沿って並設されているため、ロック装置の厚さ（引出し方向と直交する方向の幅）が、厚くなっていた。また、感振体は、上下方向に沿った中央よりも上方に重心が位置する側面視略三角形平板状を備えているため、上下方向にある程度の長さが必要であり、ロック装置の上下方向の長さも長くなり、ロック装置を小型化することが困難であった。
【０００８】
そしてまた、特許文献３に記載されたロック装置は、転動体がラッチ体の傾斜面に抗して転動する力を、ラッチ体の傾斜面にてラッチ体の係合面を突出させる力に変換することで、ラッチ体の係合面をラッチ受け具の係止縁部に係止させ、引出しを家具本体に固定している。このため、前記転動体は、ラッチ体の係合面を突出させるために必要なエネルギーを前記ラッチ体に付与するために、ある程度の重量が必要となる。したがって、ある程度大きな容積（サイズ）の転動体が使用されることになり、これを収容するためのスペース及び転がすためのスペースをロック装置内に確保する必要がある。また、前記転動体とラッチ体とが、引出しの幅方向（引出し方向と直交する方向）に沿って並設されているため、ロック装置の厚さ（引出し方向と直交する方向の幅）が、厚くなっており、ロック装置を小型化することが困難であった。
【０００９】
前記引出しは、引出し家具本体の引出し挿入部に出し入れ可能に挿入されるが、前記ロック装置は、当該引出しの側板と、前記引出し家具本体の引出し挿入部を画定し且つ前記引出しの側板に対向配置された側板との間に配設される。ここで、引出し内には、できるだけ多くの物を収容することが望まれることから、前記引出しの側板と、前記引出し挿入部の側板との間に形成される空間を必要最低限に抑える必要がある。しかしながら、前記従来のロック装置は、小型化することが困難であるため、前記引出しの側板と、前記引出し家具本体の引出し挿入部を画定する側板との間に形成される空間をある程度広くとらなければならず、引出しの内容積（物を収容するためのスペース）を広くすることには制限がある。
【００１０】
また、引出し側あるいは引出し家具本体側に、前記ロック装置を配設する（埋め込む）ためのスペースを凹設することも考えられるが、そのための加工が必要となり、手間がかかると共に、ロック装置を既存の引出し家具に後付することが困難である。
【００１１】
本発明は、このような事情に鑑みなされたものであり、振動を感知し、当該振動によって自動的にロックを行うことが可能であると共に、ロック及びロックの解除を手動で行うことも可能であり、且つ小型化が達成されたロック装置を提供することを目的とする。
【課題を解決するための手段】
【００１２】
この目的を達成するため本発明は、引出しが挿入される引出し挿入部を有する引出し家具本体に配設される第１のロック装置と、前記引出しに配設される第２のロック装置と、を備えてなるロック装置であって、前記第１のロック装置は、前記引出しの引出し方向及び挿入方向の振動を感知して当該引出し方向及び挿入方向に移動する移動体と、前記移動体の移動に応じて、前記移動体に係合可能または当該係合を解除可能である係合部材と、前記移動体が前記係合部材と係合するために移動する移動方向に当該移動体を付勢する付勢部材と、を備え、前記係合部材と移動体との係合が解除された際に、当該係合部材が前記第２のロック装置と当接して、前記引出しが引き出されることを阻止するロック装置を提供するものである。
【００１３】
この構成を備えたロック装置は、例えば、地震や搬送等による振動時に、移動体が、引出しの挿入方向または引出し方向にかかる振動を感知すると、当該移動体と係合部材との係合が自動的に解除され、当該係合部材が前記第２のロック装置と当接して、引出しを自動的にロックし、前記引出しが引出し挿入部から引き出されることを阻止することができる。ここで、移動体は、引出しの挿入方向または引出し方向に移動することで、係合部材との係合を解除する構成を備えているため、移動体の前記引出し方向及び挿入方向と略垂直な方向の長さ（以下、移動体のこの方向の長さを「厚さ」という）が、当該係合解除に関与することが殆どない。したがって、移動体の厚さを薄くしても、引出しのロックを確実且つ迅速に行うことができるため、第１のロック装置の厚さを従来よりも薄くすることができる。このため、前記引出しの側板と、この引出しの側板に対向配置される前記引出し家具本体の引出し挿入部を画定する側板との間に形成される空間がある程度狭くても、本発明にかかるロック装置を取付けることができる。
【００１４】
また、前記係合部材は、前記移動体が振動を感知していない際に、手動により、前記係合及び当該係合の解除が可能となるよう構成することができる。このように構成することで、前記利点に加え、所望により、通常状態の際に、引出しが引出し挿入部から不意に引き出されないようにロックしておくことができる。したがって、振動時に当該引出しを自動的にロックすることに加え、例えば、子供が引出しを開けられないようにするチャイルドプルーフ機能を発揮することもできる。
【００１５】
そしてまた、本発明にかかるロック装置は、前記係合が解除された際に、前記係合部材が係合解除を維持するよう構成することができる。このように構成することで、前記利点に加え、前記引出しのロックが自動的に解除されることがないため安全である。また、前記係合が解除された際に、前記係合部材が係合解除を維持する構成としては、例えば、前記係合が解除された際に、前記係合部材が前記移動体と当接し、当該移動体が前記係合を行う方向に移動することを阻止する構成が挙げられる。
【００１６】
また、本発明にかかるロック装置は、前記移動体が前記係合を解除するために移動する移動方向に、前記係合部材を付勢する付勢部材をさらに配設することができる。このようにすることで、前記移動体と係合部材との係合をより確実に維持することができる。
【００１７】
そしてまた、本発明にかかるロック装置は、前記移動体が前記引出し方向に移動した際に、前記係合部材が前記移動体との係合を解除するよう構成することもできる。
【００１８】
さらにまた、本発明にかかるロック装置は、前記係合部材の前記挿入方向の一端に、前記移動体と係合する係合部を形成し、前記引出し方向の一端に、前記移動体との係合及び係合解除を手動で行う手動操作部を形成した構成とすることもできる。
【００１９】
また、本発明にかかるロック装置は、前記第２のロック装置が、前記引出しの側壁の上面から上部に突出する突出部を備え、前記第１のロック装置が、前記係合部材と移動体との係合が解除された際に、当該係合部材の前記挿入方向側端部が斜め下方に移動して、前記第２のロック装置の突出部に当接する構成を備えることもできる。
【００２０】
そしてまた、本発明にかかるロック装置は、前記移動体に、前記挿入方向及び引出し方向に回転するローラを配設し、当該ローラの回転によって前記移動体を移動させる構成とすることもできる。このように構成することで、移動体が移動する際に生じる摩擦力を低減させることができ、移動体の加速度を大きくすることができる。したがって、移動体が振動を感知してから、引出しが引き出されることを阻止するまでにかかる時間をさらに短縮でき、引出しのロックをより迅速に行うことができる。
【００２１】
また、本発明にかかるロック装置は、前記移動体に、前記係合部材と係合し且つ回転可能な係合ローラを配設し、前記係合部材に、前記係合ローラと係合する係合フックを配設してなり、前記係合状態から係合を解除する際、及び係合解除状態から係合を行う際に、当該係合フックが当該係合ローラの外周面を摺動するよう構成することもできる。このように構成することで、前記移動体と係合部材との係合、及び前記移動体と係合部材との係合解除をより迅速に確実に行うことができる。
【００２２】
なお、本発明にかかるロック装置は、例えば、地震や搬送等による振動時に、引出しが引出し挿入部から不意に引き出されることを防止するため、前記振動を感知して前記引出しを自動的にロックするが、移動体の前記振動に対する感度は、所望により決定することができる。しかしながら、例えば、引出しを、引出し家具本体の引出し挿入部から引き出したり、挿入したりする際に生じる微小な振動や、震度１や２等、引出しが引き出されることがない程度の微震や弱震の際には、引出しをロックする必要がないと考えられることから、例えば、震度４〜５以上に相当する加速度が与えられる等、引出しが引き出される可能性のある大きさの振動を感知することが好ましい。
【発明の効果】
【００２３】
本発明にかかるロック装置は、例えば、地震や搬送等による振動時に、引出しが引出し挿入部から引き出されないように自動的にロックすることができる。また、本発明にかかるロック装置の構成要素である移動体は、引出しの挿入方向または引出し方向に移動することで、係合部材との係合を解除する構成を備えているため、移動体の厚さが、当該係合及び係合解除に関与することが殆どない。この結果、振動時における引出しの安全性を向上させることができ、且つ小型化が達成されたロック装置を提供することができる。
【発明を実施するための最良の形態】
【００２４】
次に、本発明の好適な実施の形態にかかるロック装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２５】
図１は、本発明の実施の形態にかかるロック装置の構成要素である第１のロック装置の分解斜視図、図２は、図１に示す第１のロック装置の断面図であって、移動体と係合部材とが係合している状態（非ロック状態）を示す図、図３は、図１に示す第１のロック装置の断面図であって、移動体と係合部材との係合が解除されている状態（ロック状態）を示す図、図４は、本発明の実施の形態にかかるロック装置の構成要素である第２のロック装置が、引出しの側板に取付けられた状態を示す斜視図、図５は、第１のロック装置を引出し家具本体の引出し挿入部を画定する側板に配設し、第２のロック装置を、当該引出し挿入部に挿入された引出しの側板に配設した状態を示す断面図であって、移動体と係合部材とが係合している状態（非ロック状態）を示す図、図６は、第１のロック装置を引出し家具本体の引出し挿入部を画定する側板に配設し、第２のロック装置を、当該引出し挿入部に挿入された引出しの側板に配設した状態を示す断面図であって、移動体と係合部材との係合が解除されている状態（ロック状態）を示す図、図７は、引出し家具本体の引出し挿入部に引出しが挿入されている状態の引出し家具に、本発明にかかるロック装置を取付けた状態が目視できるように示した斜視図であって、移動体と係合部材とが係合している状態（非ロック状態）を示す図、図８は、図７に示すロック装置が取付けられた引出し家具の平面図、図９は、引出し挿入部に引出しが挿入されている状態の引出し家具に、本発明にかかるロック装置を取付けた状態が目視できるように示した斜視図であって、移動体と係合部材との係合が解除されている状態（ロック状態）を示す図、図１０は、図９に示すロック装置が取付けられた引出し家具の平面図である。
【００２６】
なお、本実施の形態では、引出しが挿入される方向（図２、図３、図５、図６でいう左側）を「挿入方向」といい、引出しが引き出される方向（図２、図３、図５、図６でいう右側）を「引出し方向」といい、引出しの挿入方向及び引出し方向の両方向を指す用語として「挿入・引出し方向」を用いる。また、引出し家具を床に載置した際に、床側となる方向を「下側」、床と反対側の方向を「上側」として説明する。
【００２７】
図４〜図１０に示すように、本実施の形態にかかるロック装置１は、引出し家具１００に配設されている。引出し家具１００は、引出し１２０と、引出し１２０が挿入される引出し挿入部１１１を有する引出し家具本体１１０を備えている。
【００２８】
引出し１２０は、正面板１２１と、正面板１２１と間隔をおいて対向配置された背面板１２２と、正面板１２１の両端と背面板１２２の両端をそれぞれ接続する２枚の側板１２３Ａ及び１２３Ｂと、これらの板で形成された枠状部材の底を形成する底板１２４から形成されている。すなわち、この引出し１２０は、正面板１２１、背面板１２２、側板１２３Ａ及び１２３Ｂ、及び底板１２４によって、内容積（物を収容するスペース）が画定されている。
【００２９】
引出し家具本体１１０は、正面が開口された略直方体形状を有し、背面板１１２と、背面板１１２の両端に配設された側板１１３Ａ及び１１３Ｂと、天板（図示せず）とを備えて構成されている。この引出し家具本体１１０は、背面板１１２と、側板１１３Ａ及び１１３Ｂによって、引出し挿入部１１１が画定されている。なお、引出し家具本体１１０には、底板は配設されておらず、一番下に配設される引出し１３０の底板（図示せず）が、引出し家具本体１１０の実質的な底板の役割を果たしている。
【００３０】
図１〜図１０に示すように、本発明の実施の形態にかかるロック装置１は、引出し家具本体１１０の側板１１３Ａに配設される第１のロック装置１０と、引出し１２０の側板１２３Ａに配設される第２のロック装置５０を備えて構成されている。
【００３１】
第１のロック装置１０は、ケーシング１１と、挿入・引出し方向に移動可能となるようにケーシング１１内に配置される移動体１２と、ケーシング１１内に配置され、移動体１２の挿入方向への移動に応じて移動体１２に係合し、引出し方向の移動に応じて移動体１２との係合を解除する係合部材１３と、ケーシング１１内に配置され、移動体１２を挿入方向に付勢する圧縮コイルバネ１４と、ケーシング１１内に配置され、係合部材１３を引出し方向に付勢する引張りコイルバネ１５を備えている。
【００３２】
ケーシング１１は、ケーシング本体１１Ａと、ケーシング本体１１Ａに取付けられてケーシング本体１１Ａを覆うカバー１１Ｂを備えている。ケーシング本体１１Ａは、引出し・挿入方向に長い略直方体の箱状を有し、その長手方向略中央部には、移動体１２を引出し・挿入方向に移動可能に収納する移動体収納部２０が形成されている。この移動体収納部２０の下側には、移動体１２を引出し・挿入方向に移動可能に載置する載置面２１が形成されている。また、移動体収納部２０の引出し方向の側面には、圧縮コイルバネ１４の一端が固定される固定部２２が形成されており、挿入方向の側面には、移動体１２の係合ローラ３４が移動体収納部２０から延出するための開口部２３が形成されている。さらに、ケーシング本体１１Ａの下端には、後に詳述するが、移動体１２と係合部材１３との係合が解除された際に、係合部材１３の挿入方向側端部が、ケーシング１１から下方に延出するための開口部２６が形成されている。
【００３３】
移動体１２は、挿入・引出し方向の振動を感知して、挿入・引出し方向に移動するものであり、挿入方向側の略中央部が挿入方向側に向けて延出した略直方体の第１のベース３１と、第１のベース３１に固定される移動本体３２と、第１のベース３１の延出部３３に回転自在に配置され、係合部材１３の係合フック４１と係合する係合ローラ３４と、第１のベース３１に回転自在に配設される３つのローラ３５Ａ〜３５Ｃと、第１のベース３１の反対側に配設され、第１のベース３１と同様の形状を有する第２のベース３６を備えている。この移動体１２は、図２に示すように、挿入方向に位置する際に、係合ローラ３４と係合フック４１とが係合し、図３に示すように引出し方向に位置した際に、係合ローラ３４と係合フック４１との係合が解除される。
【００３４】
なお、移動体１２は、引出し１２０を、引出し家具本体１１０の引出し挿入部１１１から引き出したり、挿入したりする際に生じる微小な振動や、震度１や２等、引出しが引き出されることがない程度の微震や弱震の際には、移動せず、例えば、震度５以上に相当する加速度が与えられた際に移動するよう設定した。また、移動体１２を移動させるために必要な振動量（加速度）は、圧縮コイルバネ１４の強さ（付勢力）を変更することにより任意に設定することも可能である。
【００３５】
移動本体３２は、引出し方向側の略中央部が引出し方向に向けて延出しており、この延出部３７の上側と第１のベース３１との間に形成される空間にローラ３５Ａが配設され、延出部３７の下側と第１のベース３１との間に形成される空間にローラ３５Ｂが配設されている。この延出部３７の先端には、圧縮コイルバネ１４の他端が固定される。また、移動本体３２の挿入方向側の下部は切り欠かかれており、この切欠き部と第１のベース３１との間に形成される空間にローラ３５Ｃが配設されている。
【００３６】
係合ローラ３４は、移動体１２がケーシング本体１１Ａの移動体収納部２０に収納された際に、移動体収納部２０の開口部２３から延出し、係合部材１３の係合フック４１と係合可能となっている。そして、後に詳述するが、この係合ローラ３４が回転することにより、係合ローラ３４と係合フック４１とが係合している状態から、この係合を解除する、あるいは、係合ローラ３４と係合フック４１とを係合させる際には、係合フック４１の係合面４２が、係合ローラ３４の外周面と摺動するようになっている。
【００３７】
ローラ３５Ａは、係合ローラ３４と同様の形状を有しており、移動体１２がケーシング本体１１Ａの移動体収納部２０に収納された際に、移動体収納部２０の上面２４と接触して回転し、移動体１２を移動させる。また、ローラ３５Ｂ及び３５Ｃは、係合ローラ３４と同様の形状を有しており、移動体収納部２０の載置面２１と接触して回転し、移動体１２を移動させる。
【００３８】
係合部材１３は、挿入・引出し方向に長い略クランク形状を有し、挿入方向側の先端に係合ローラ３４と係合する係合フック４１が形成されている。一方、係合部材１３の引出し方向先端側は、移動体１２が振動を感知していない際に、係合ローラ３４と係合フック４１との係合を手動で解除し、あるいは両者の係合を手動で行うための手動操作部４３が形成されている。この手動操作部４３の先端には、キャップ４６が配設されている。また、係合部材１３の略中央部分には、支持孔４５が形成されており、この支持孔４５に、ケーシング本体１１Ａに形成された略円柱状の支持ピン２５が挿入されることで、係合部材１３は、ケーシング１１に対し揺動可能に配設される。
【００３９】
具体的には、係合ローラ３４と係合フック４１との係合が解除された際に、係合部材１３の挿入方向側先端部が、ケーシング１１の下端に形成された開口部２６から下側に突出する方向に揺動し、この係合部材１３の開口部２６から下側に突出した部分が、後に詳述する第２のロック装置５０の楔部５３に当接することで、引出し１２０が引出し挿入部１１１から引き出されることを阻止し、引出し家具本体１１０に対し引出し１２０をロックする。また、この時、図３及び図６に示すように、ケーシング本体１１Ａに形成された湾曲凹部１１１に、係合部材１３に形成された湾曲凸部１１３が嵌合し、引張りコイルバネ１５の付勢力によってこの嵌合が維持される。このため、係合ローラ３４と係合フック４１との係合が解除された際に、この係合解除が維持されることになる。
【００４０】
圧縮コイルバネ１４は、一端がケーシング本体１１Ａの固定部２２に固定され、他端が移動体１２の延出部３７の先端に固定されており、通常時は、移動体１２を、移動体１２が係合部材１３と係合するために移動する方向（挿入方向）に付勢している。
【００４１】
引張りコイルバネ１５は一端が、ケーシング本体１１Ａの引出し方向側下部に形成された固定部２７に固定され、他端が係合部材１３に固定されており、通常時は、係合部材１３の係合フック４１を引出し方向に付勢して、係合フック４１と係合ローラ３４とが互いに押圧しあうようにし、互いの係合を確実に維持させる役割を果たしている。
【００４２】
第２のロック装置５０は、一端に、引出し１２０の底板１２４に固定される底板用固定部５１が形成され、他端に、引出しの側板１２３Ａの上部に固定される側板用固定爪５２Ａ及び５２Ｂ（図５及び図６参照）が形成されている。第２のロック装置５０の上端面には、第２のロック装置５０を引出し１２０の側板１２３Ａに取付けた際に、引出し家具本体１１０の側板１１３Ａに向けて突出すると共に、上部に向けて突出する楔部５３が形成されている。この楔部５３は、係合ローラ３４と係合フック４１との係合が解除された際に、ケーシング１１から下方に突出した係合部材１３の挿入方向側先端部が当接可能となっており、この楔部５３に係合部材１３の挿入方向側先端部が当接することで、引出し１２０が引き出されることを阻止するものである。
【００４３】
なお、第２のロック装置５０は、第１のロック装置１０が配設されている位置よりも下方に配設されているため、楔部５３の側板１１３Ａに向けて突出している長さを、第１のロック装置１０の厚さよりも短く設定することで、第２のロック装置５０は、第１のロック装置１０を配設するために必要となる側板１１３Ａと側板１２３Ａとの間に形成された空間内に収まることになる。したがって、第２のロック装置５０を配設するために、側板１１３Ａと側板１２３Ａとの間の距離を長くする必要がない。
【００４４】
次に、本発明にかかるロック装置１の具体的動作について説明する。
【００４５】
先ず、引出し家具１００にロック装置１を取付ける。具体的には、引出し１２０の側板１２３Ａに、第２のロック装置５０を取付ける。一方、引出し家具本体１１０の側板１１３Ａの引出し方向側の上部の所定位置に、第１のロック装置１０を取付ける。この時、第１のロック装置１０は、ロック装置１の移動体１２と係合部材１３との係合が解除された際に、ケーシング１１から下方に突出した係合部材１３の挿入方向側先端部が、第２のロック装置５０の楔部５３に当接することが可能な位置であり、且つ、移動体１２と係合部材１３とが係合されている際には、引出し１２０が引き出されたり、挿入される動作を緩衝しない位置に配設する。また、後に詳述するが、ロック装置１が配設された引出し家具１００に所定強度以上の振動が与えられた場合、先ず、移動体１２と引出し１２０は同じ方向に同じ距離を移動しますが、この時、移動体１２が動き、係合部材１３と移動体１２との係合が解除されるまでには、一定の移動距離が必要である。前記係合が解除された後、係合部材１３の挿入方向側先端部が斜め下方に突出するため、移動体１２の動作距離より、引出し１２０が引き出されることにより移動する楔部５３の移動距離（引出し１２０の開き量）を長く設定する必要がある。また、手動操作部４３を操作して移動体１２と係合部材１３との係合及び係合解除を行うためには、引出し１２０と、引出し家具本体１１０との間に手（指）が入るための空間が形成される必要がある。したがって、ロック装置１の配設位置は、これらをふまえて決定する必要がある。
【００４６】
なお、ロック装置１の取付け方法としては、ねじ等による固定や、両面テープ等による固定等、任意に選択可能である。また、ロック装置１は、例えば、引出し家具１００をユーザ等に販売する前に予め取付けておいてもよく、既に購入してある引出し家具１００に、ユーザ等が後から取付けてもよい。
【００４７】
この引出し家具１００に配設されたロック装置１は、通常の状態（本実施の形態では、震度４〜５以上の振動が与えられていない状態）では、第１のロック装置１０の移動体１２に配設された係合ローラ３４と、係合部材１３に形成された係合フック４１とが係合された状態（図２、図５、図７及び図８参照）となっている。したがって、引出し１２０は、引出し家具本体１１０の引出し挿入部１１１から通常通りに引出し可能であり、また引き出された引出し１２０を引出し挿入部１１１に挿入可能である。
【００４８】
この通常状態の際に、例えば、地震の発生や搬送等により、引出し家具１００に所定強度以上の振動（本実施の形態では、震度４〜５以上の振動）が加えられ、引出し１２０が、引出し方向や挿入方向、あるいは挿入・引出し方向に振動した際は、先ず、第１のロック装置１０の移動体１２が当該振動を感知して、圧縮コイルバネ１４の付勢力に抗して引出し方向に移動する。そして、移動体１２の移動により、移動体１２の係合ローラ３４と係合部材１３の係合フック４１との係合が解除される。この時、移動体１２は、ローラ３５Ａ、３５Ｂ及び３５Ｃが回転することにより移動するため、移動体１２に生じる摩擦力が大幅に低減され、移動体１２の加速度が大きくなる。また、この係合解除時には、係合ローラ３４が回転し、係合フック４１の係合面４２が、係合ローラ３４の外周面上を摺動する。したがって、移動体１２が前記振動を感知してから係合ローラ３４と係合フック４１との係合が解除されるまでにかかる時間を短縮することができる。
【００４９】
次に、係合ローラ３４と係合フック４１との係合が解除されると、図３及び図６に示すように、係合部材１３が、支持孔４５に挿入された支持ピン２５を支点として時計方向に回動し、係合部材１３の挿入方向側先端部が、ケーシング本体１１Ａに形成された開口部２６を介してケーシング１１の下方に突出し、且つこの状態で、係合ローラ３４と係合フック４１とが当接する。また、ケーシング本体１１Ａに形成された湾曲凹部１１１に、係合部材１３に形成された湾曲凸部１１３が嵌合し、引張りコイルバネ１５の付勢力によってこの嵌合が維持されるため、係合ローラ３４と係合フック４１との係合が解除された状態が確実に維持される。
【００５０】
この状態で、引出し１２０がさらに引き出されると、引出し１２０に取付けられた第２のロック装置５０の楔部５３が、係合部材１３の挿入方向側先端部に当接して、引出し１２０がこれ以上引き出されることを阻止し、引出し１２０が、引出し家具本体１１０に対し確実にロックされた状態にする。
【００５１】
次に、このロック状態から、引出し１２０を引き出す際は、手動操作部４３を下方に押せば、係合部材１３が、支持孔４５に挿入された支持ピン２５を支点として反時計方向に回動し、係合フック４１の係合面４２が、係合ローラ３４の外周面と摺動しながら上方に移動する。この時、移動体１２は、圧縮コイルバネ１４の付勢力により挿入方向に移動する。この動作によって、係合部材１３の挿入方向側先端部が、開口部２６を介してケーシング１１内に収納され（図２、図５、図７及び図８参照）、係合部材１３の挿入方向側先端部が、第２のロック装置５０の楔部５３に当接しなくなり、係合ローラ３４と係合フック４１とが再び係合することによって、この状態が維持される。このため、引出し１２０は、引出し家具本体１１０の引出し挿入部１１１から通常通りに引出し可能であり、また引き出された引出し１２０を引出し挿入部１１１に挿入可能となる。
【００５２】
以上説明したように、本実施の形態にかかるロック装置１は、移動体１２が引出し方向に移動することで、移動体１２と係合部材１３の係合を解除して引出し１２０をロック状態とし、移動体１２が挿入方向に移動することで、移動体１２と係合部材１３とを係合させて引出し１２０を非ロック状態とする構成を有している。すなわち、移動体１２と係合部材１３の係合及び係合解除（引出し１２０のロック解除及びロック）には、移動体１２の厚さが関与することが殆どない。したがって、移動体１２の厚さを薄くしても、前記係合及び係合解除に支承を来すことがないため、移動体１２の厚さを極力薄くすることができる。また、第２のロック装置５０は、第１のロック装置１０を配設するために必要となる側板１１３Ａと側板１２３Ａとの間に形成された空間内に収めることができる。したがって、側板１１３Ａと側板１２３Ａとの間に形成された空間が、従来必要とされていた空間より狭くても、ロック装置１を配設することができる。このため、ロック装置を配設することを考慮せずに製造された引出し家具にもロック装置１を配設することができる。
【００５３】
また、本実施の形態にかかるロック装置１は、所定の振動が与えられていない場合であっても、手動操作部４３を操作することで、係合ローラ３４と係合フック４１との係合を解除して、引出し１２０を引出し家具本体１１０に対しロックすることもできる。具体的には、係合ローラ３４と係合フック４１とが係合している状態（図２、図５、図７及び図８参照）の時に、手動操作部４３を挿入方向に押し込むことで、係合ローラ３４と係合フック４１との係合を解除することができる。このようにすることで、引出し家具に１００に所定の振動が与えられたか否かに係わらず、引出し１２０がこれ以上引き出されることを阻止したい時に、手動により、引出し１２０を引出し家具本体１１０に対してロック状態としておくことができる。この構成は、例えば、子供が引出しを開けられないようにするチャイルドプルーフ機能として便利である。
【００５４】
なお、本実施の形態では、引出し１２０の正面板１２１側から見て、右側の側板１２３Ａに第１のロック装置１０を配設し、この側板１２３Ａと対向する引出し家具本体１１０の側板１１３Ａに第２のロック装置５０を配設した場合について説明したが、これに限らず、引出し１２０の正面板１２１側から見て、左側の側板１２３Ｂに第１のロック装置１０を配設し、この側板１２３Ｂと対向する引出し家具本体１１０の側板１１３Ｂに第２のロック装置５０を配設してもよい。
【００５５】
また、本実施の形態では、移動体１２が挿入方向に移動した際に、係合部材１３と係合し、移動体１２が引出し方向に移動した際に、係合部材１３との係合を解除する場合について説明したが、これに限らず、移動体１２が挿入方向に移動した際に、係合部材１３との係合を解除し、移動体１２が引出し方向に移動した際に、係合部材１３と係合するよう構成してもよい。
【００５６】
そしてまた、本実施の形態では、移動体１２が移動する際に生じる摩擦力を軽減させるために、移動本体３２にローラ３５Ａ〜３５Ｃを配設した場合について説明したが、これに限らず、ローラ３５Ａ〜３５Ｃは、必ずしも設けなくてもよい。また、前記摩擦力を低減させるため、移動体１２と、ケーシング本体１１Ａの載置面２１や上面２４との接触領域を低摩擦材料で形成したり、前記接触領域に、低摩擦部材等を配設する等してもよい。
【図面の簡単な説明】
【００５７】
【図１】図１は、本発明の実施の形態にかかるロック装置の構成要素である第１のロック装置の分解斜視図である。
【図２】図１に示す第１のロック装置の断面図であって、移動体と係合部材とが係合している状態（非ロック状態）を示す図である。
【図３】図１に示す第１のロック装置の断面図であって、移動体と係合部材との係合が解除されている状態（ロック状態）を示す図である。
【図４】本発明の実施の形態にかかるロック装置の構成要素である第２のロック装置が、引出しの側板に取付けられた状態を示す斜視図である。
【図５】第１のロック装置を引出し家具本体の引出し挿入部を画定する側板に配設し、第２のロック装置を、当該引出し挿入部に挿入された引出しの側板に配設した状態を示す断面図であって、移動体と係合部材とが係合している状態（非ロック状態）を示す図である。
【図６】第１のロック装置を引出し家具本体の引出し挿入部を画定する側板に配設し、第２のロック装置を、当該引出し挿入部に挿入された引出しの側板に配設した状態を示す断面図であって、移動体と係合部材との係合が解除されている状態（ロック状態）を示す図である。
【図７】引出し家具本体の引出し挿入部に引出しが挿入されている状態の引出し家具に、本発明にかかるロック装置を取付けた状態が目視できるように示した斜視図であって、移動体と係合部材とが係合している状態（非ロック状態）を示す図である。
【図８】図７に示すロック装置が取付けられた引出し家具の平面図である。
【図９】引出し挿入部に引出しが挿入されている状態の引出し家具に、本発明にかかるロック装置を取付けた状態が目視できるように示した斜視図であって、移動体と係合部材との係合が解除されている状態（ロック状態）を示す図である。
【図１０】図９に示すロック装置が取付けられた引出し家具の平面図である。
【符号の説明】
【００５８】
１    ロック装置
１０    第１のロック装置
１１    ケーシング
１１Ａ    ケーシング本体
１１Ｂ    カバー
１２    移動体
１３    係合部材
１４    圧縮コイルバネ
１５    引張りコイルバネ
３４    係合ローラ
３５Ａ、３５Ｂ、３５Ｃ    ローラ
４１    係合フック
４２    係合面
４３    手動操作部
５０    第２のロック装置
１００    引出し家具
１１０    引出し家具本体
１１１    引出し挿入部
１１３Ａ、１１３Ｂ    側板
１２０    引出し
１２３Ａ、１２３Ｂ    側板
【図１】
2008057181.tif 000003
【図２】
2008057181.tif 000004
【図３】
2008057181.tif 000005
【図４】
2008057181.tif 000006
【図５】
2008057181.tif 000007
【図６】
2008057181.tif 000008
【図７】
2008057181.tif 000009
【図８】
2008057181.tif 000010
【図９】
2008057181.tif 000011
【図１０】
2008057181.tif 000012